(57)【要約】      （修正有）【課題】一つのＵＩＣＣ（Universal Integrated Circuit Card）に複数の加入者識別情報セットを保存することで、一つの使用者端末で複数の加入者識別情報セットを管理することができるマルチナンバーサービスを提供する。【解決手段】ＵＩＣＣの外部から受信された命令に応じて、加入者識別情報セット管理アプリケーションに割り振られたメモリーに保存された複数の加入者識別情報セットのいずれか１つの加入者識別情報セットを選択するステップと、選択された加入者識別情報セットを活性化させるステップとを含む。【選択図】図４
2019033510.tif 000002
【特許請求の範囲】
【請求項１】
管理サーバーが、第１端末機のスマートカード（smart card）の加入者識別情報セット管理アプリケーションに割り振られたメモリーに保存された複数の加入者識別情報セットを登録するステップと、
前記管理サーバーが、登録された複数の加入者識別情報セットより第２端末機により接続要請された加入者識別情報セットに相応する応答を検索するステップと、
前記管理サーバーが、検索された応答を前記第２端末機に伝送するステップと、を含み、
前記複数の加入者識別情報セットは、移動通信網接続ための必須情報で構成され、少なくともＩＣＣＩＤ（Integrated Circuit Card ID）及びネットワーク接続のためのキー（key）情報を含んでおり、前記ＩＣＣＩＤにより使用者の名義が管理され、
前記応答を検索するステップは、前記第１端末機で活性化されている加入者識別情報セットを検索するステップを含み、
前記第１端末機に活性化されている加入者識別情報セットは、前記第１端末機が外部命令に応じて、選択された加入者識別情報セットを前記スマートカード内のＵＩＣＣファイルシステム（file system）にアップデートすることで、前記加入者識別情報セットを活性化させた加入者識別情報セットであり、
前記加入者識別情報セットに含まれた情報は、ＵＳＩＭ（Universal Subscriber Identity Module）アプリケーションを介して、前記ＵＩＣＣファイルシステムのファイル項目にそれぞれアップデートされ、前記ＵＩＣＣファイルシステムのファイル情報の一部又は全部を構成する
マルチナンバーサービス提供方法。
【請求項２】
前記応答は、メッセージ又は通話呼出音である請求項１に記載のマルチナンバーサービス提供方法。
【請求項３】
管理サーバーが、第１端末機のスマートカード（smart card）の加入者識別情報セット管理アプリケーションに割り振られたメモリーに保存された複数の加入者識別情報セットより活性化された第１加入者識別情報セットを登録するステップと、
前記管理サーバーが、第２端末機から第２加入者識別情報セットへの接続要請を受信するステップと、
前記管理サーバーが、前記第１端末機に前記第２加入者識別情報セットを活性化させるための活性化要請を伝送するステップと、を含み、
前記複数の加入者識別情報セットは、移動通信網接続のための必須情報で構成され、少なくともＩＣＣＩＤ（Integrated Circuit Card ID）及びネットワーク接続のためのキー（key）情報を含んでおり、前記ＩＣＣＩＤにより使用者の名義が管理され、
前記活性化させるステップは、外部命令に応じて選択された前記第２加入者識別情報セットを、前記スマートカード内のＵＩＣＣファイルシステム（file system）にアップデートすることで、前記第２加入者識別情報セットを活性化させ、
前記第２加入者識別情報セットに含まれた情報は、ＵＳＩＭ（Universal Subscriber Identity Module）アプリケーションを介して、前記ＵＩＣＣファイルシステムのファイル項目にそれぞれアップデートされ、前記ＵＩＣＣファイルシステムのファイル情報の一部又は全部を構成する
マルチナンバーサービス提供方法。
【請求項４】
管理サーバーが、第１端末機のスマートカード（smart card）の加入者識別情報セット管理アプリケーションに割り振られたメモリーに保存された複数の加入者識別情報セットより活性化された第１加入者識別情報セットを登録するステップと、
前記管理サーバーが、第２端末機から第２加入者識別情報セットへの接続要請を受信するステップと、
前記管理サーバーが、前記第２加入者識別情報セットに接続要請されたことを通知する接続経路情報を前記第１端末機に伝送するステップと、を含み、
前記複数の加入者識別情報セットは、移動通信網接続のための必須情報で構成され、少なくともＩＣＣＩＤ（Integrated Circuit Card ID）及びネットワーク接続のためのキー（key）情報を含んでおり、前記ＩＣＣＩＤにより使用者の名義が管理され、
前記第１端末機は、前記接続経路情報に応じて前記第２加入者識別情報セットを、前記スマートカード内のＵＩＣＣファイルシステム（file system）にアップデートすることで、前記第２加入者識別情報セットを活性化させ、
前記第２加入者識別情報セットに含まれた情報は、ＵＳＩＭ（Universal Subscriber Identity Module）アプリケーションを介して、前記ＵＩＣＣファイルシステムのファイル項目にそれぞれアップデートされ、前記ＵＩＣＣファイルシステムのファイル情報の一部又は全部を構成する
マルチナンバーサービス提供方法。
【発明の詳細な説明】
【技術分野】
【０００１】
本発明概念に係る実施例は、マルチナンバーサービス提供方法に関するものであり、特に、一つのスマートカード（smart card）、例えば、ＵＩＣＣ（Universal Integrated Circuit Card）に複数の加入者識別情報セットを保存することで、一つの使用者端末で複数の加入者識別情報セットを管理することができるマルチナンバーサービス提供方法に関するものである。
【背景技術】
【０００２】
汎用ＩＣカードと呼ばれるＵＩＣＣ（Universal Integrated Circuit Card）は、汎用移動データ通信システムの主な構成であり、ＳＩＭ（Subscriber Identity Module）カードが拡張された形態で具現される。
【０００３】
ＵＩＣＣは、端末機内に挿入されて使用者認証のためのモジュールとして使用することができ、ＵＩＣＣは、使用者のプライベート情報及び使用者が加入した移動データ通信事業者に対する事業者情報を保存することができる。
【０００４】
しかし、一つのＵＩＣＣには、標準規格により一つのＩＣＣＩＤ（Integrated Circuit Card ID）、ＩＭＳＩ（International Mobile Subscriber Identity）、ＭＳＩＳＤＮ（Mobile Station International ISDN Number）だけが保存される限界があった。
【発明の概要】
【発明が解決しようとする課題】
【０００５】
本発明が解決しようとする技術的な課題は、一つのスマートカード（smart card）、例えば、ＵＩＣＣ（Universal Integrated Circuit Card）に複数の加入者識別情報セットを保存することで、一つの使用者端末で複数の加入者識別情報セットを管理することができるマルチナンバーサービスを提供することにある。
【課題を解決するための手段】
【０００６】
本発明の実施例に係るスマートカード（smart card）を用いたマルチナンバーサービス提供方法は、前記スマートカードの外部から受信された命令に応じて、加入者識別情報セット管理アプリケーションに割り振られたメモリーに保存された複数の加入者識別情報セットのいずれか１つの加入者識別情報セットを選択するステップと、選択された加入者識別情報セットを活性化させるステップとを含む。
【０００７】
実施例により、前記スマートカードは、ＵＩＣＣ（Universal Integrated Circuit Card）であってもよい。
【０００８】
実施例により、前記活性化させるステップは、選択された加入者識別情報セットを前記スマートカード内のファイルシステム（file system）にアップデートすることで、前記加入者識別情報セットを活性化させる。
【０００９】
実施例により、前記活性化させるステップは、選択された加入者識別情報セットをＵＳＩＭ（Universal Subscriber Identity Module）アプリケーションを介して、前記スマートカード内の前記ファイルシステムにアップデートすることで、前記加入者識別情報セットを活性化させる。
【００１０】
実施例により、前記複数の加入者識別情報セットは、ＩＣＣＩＤ（Integrated Circuit Card ID）、ＩＭＳＩ（International Mobile Subscriber Identity）、及びＭＳＩＳＤＮ（Mobile Station International ISDN Number）を含む。
【００１１】
本発明の別の実施例に係るマルチナンバーサービス提供方法は、端末機が加入者識別情報セット追加要請に応じて、管理サーバーにより検索されて伝送された少なくとも一つの加入者識別情報セットリスト（list）を受信するステップと、前記端末機が、前記加入者識別情報セットリストに基づいて選択された加入者識別情報セットをスマートカード（smart card）の加入者識別情報セット管理アプリケーションに割り振られたメモリーに保存するステップとを含む。
【００１２】
本発明のさらに別の実施例に係るマルチナンバーサービス提供方法は、端末機が、加入者識別情報セットの削除要請に応じて、管理サーバーにより検索されて伝送された少なくとも一つの加入者識別情報セットリスト（list）を受信するステップと、前記端末機が前記加入者識別情報セットリストに基づいて選択された加入者識別情報セットをスマートカード（smart card）の加入者識別情報セット管理アプリケーションに割り振られたメモリーから削除するステップとを含む。
【００１３】
本発明のさらに別の実施例に係るマルチナンバーサービス提供方法は、管理サーバーが第１端末機のスマートカード（smart card）の加入者識別情報セット管理アプリケーションに割り振られたメモリーに保存された複数の加入者識別情報セットを登録するステップと、前記管理サーバーが、登録された複数の加入者識別情報セットより第２端末機により接続要請された加入者識別情報セットに相応する応答を検索するステップと、前記管理サーバーが、検索された応答を前記第２端末機に伝送するステップとを含む。
【００１４】
実施例により、前記応答は、メッセージ又は通話呼出音であってもよい。
【００１５】
本発明のさらに別の実施例に係るマルチナンバーサービス提供方法は、管理サーバーが、第１端末機のスマートカード（smart card）の加入者識別情報セット管理アプリケーションに割り振られたメモリーに保存された複数の加入者識別情報セットより活性化された第１加入者識別情報セットを登録するステップと、前記管理サーバーが、第２端末機から第２加入者識別情報セットへの接続要請を受信するステップと、前記管理サーバーが前記第１端末機で前記第２加入者識別情報セットを活性化させるための活性化要請を伝送するステップとを含む。
【００１６】
本発明のさらに別の実施例に係るマルチナンバーサービス提供方法は、管理サーバーが第１端末機のスマートカード（smart card）の加入者識別情報セット管理アプリケーションに割り振られたメモリーに保存された複数の加入者識別情報セットより活性化された第１加入者識別情報セットを登録するステップと、前記管理サーバーが、第２端末機から第２加入者識別情報セットへの接続要請を受信するステップと、前記管理サーバーが前記第２加入者識別情報セットへ接続要請されたことを通知する接続経路情報を前記第１端末機に伝送するステップとを含む。
【００１７】
本発明の実施例に係るマルチナンバーサービス提供方法は、第１端末機の複数の加入者識別情報セットより第１加入者識別情報セットを活性化するステップと、第２端末機から前記複数の加入者識別情報セットより活性化されていない第２加入者識別情報セットへの通信要請、及び前記第２端末機の端末情報を受信するステップと、前記第２端末機の前記端末情報と前記通信要請とをマッピングして、保存するステップと、前記マッピングして、保存された情報と前記第２端末機に対する通信要請入力に応じて、前記第２加入者識別情報セットを活性化するステップとを含む。
【００１８】
実施例により、前記複数の加入者識別情報セットは、前記第１端末機に含まれたスマートカード（smart card）の加入者識別情報セット管理アプリケーションに割り振られたメモリーに保存される。
【００１９】
実施例により、前記第２端末機に対する前記通信要請入力は、音声通話要請又はメッセージ送信要請であってもよい。
【００２０】
実施例により、前記第２加入者識別情報セットを活性化するステップ以降に、前記第１加入者識別情報セットの復旧条件を確認するステップと、前記復旧条件に符合する場合、前記第１加入者識別情報セットを活性化させるステップとをさらに含む。
【００２１】
実施例により、前記復旧条件は、前記音声通話終了後、基準時間が徒過されたかどうかに基づいて判断される。
【００２２】
実施例により、前記復旧条件は、前記メッセージ送信が完了したのかどうかに基づいて判断される。
【００２３】
本発明の実施例に係るマルチナンバーサービス提供方法は、管理サーバーが、第１端末機のスマートカード（smart card）の加入者識別情報セット管理アプリケーションに割り振られたメモリーに保存された複数の加入者識別情報セットより活性化された第１加入者識別情報セットを登録するステップと、前記管理サーバーが、第２端末機から前記複数の加入者識別情報セットより活性化されていない第２加入者識別情報セットへの通信要請、及び前記第２端末機の端末情報を受信するステップと、前記管理サーバーが、前記第２端末機の前記端末情報と前記通信要請とをマッピングして、保存するステップと、前記管理サーバーが、前記マッピングして、保存された情報と前記第１端末機の前記第２端末機に対する通信要請とに応じて、前記第２加入者識別情報セットを活性化するための要請を前記第１端末機に伝送するステップとを含む。
【００２４】
実施例により、前記複数の加入者識別情報セットは、前記第１端末機に含まれたスマートカード（smart card）の加入者識別情報セット管理アプリケーションに割り振られたメモリーに保存される。
【００２５】
本発明の実施例に係るマルチナンバーサービス提供方法は、端末機が、ユーザインタフェースＵＩ（User Interface）を介して、活性化パターンの入力を受けるステップと、入力された前記活性化パターンにより、前記端末機が、複数の加入者識別情報セットのいずれか１つの加入者識別情報セットを選択するステップと、及び前記端末機が選択された加入者識別情報セットを活性化させるステップとを含む。
【００２６】
実施例により、前記複数の加入者識別情報セットは、前記端末機の加入者識別情報セット管理アプリケーションに割り振られたメモリーに保存される。
【００２７】
実施例により、前記マルチナンバーサービス提供方法は、前記端末機が使用者の識別番号の入力を受けるステップをさらに含む。
【００２８】
実施例により、前記マルチナンバーサービス提供方法は、前記端末機が、入力された前記識別番号が入力された前記活性化パターンに相応する識別番号であるかを判断するステップをさらに含み、前記加入者識別情報セットを活性化させるステップは、判断結果に応じて、前記端末機が選択された加入者識別情報セットを活性化させる。
【００２９】
実施例により、前記識別番号はＰＩＮ（Personal Identification Number）であってもよい。
【００３０】
実施例により、前記活性化パターンは、音声パターンであってもよい。
【００３１】
実施例により、前記活性化パターンは、指紋パターンであってもよい。
【００３２】
本発明の実施例に係るマルチナンバーサービス提供方法は、複数の加入者識別情報セットのそれぞれに相応する端末機状態を保存するステップと、前記複数の加入者識別情報セットのいずれか１つの加入者識別情報セットを活性化させるステップと、活性化された加入者識別情報セットに相応する端末機状態に端末機を設定するステップとを含む。
【００３３】
実施例により、前記複数の加入者識別情報セットは、前記端末機の加入者識別情報セット管理アプリケーションに割り振られたメモリーに保存される。
【００３４】
実施例により、前記端末機状態は、前記端末機の通信設定状態であってもよい。
【００３５】
実施例により、前記通信設定状態は、データネットワーク（data network）の連結の有無、ＷＩ−ＦＩ連結の有無、ＧＰＳ（Global Positioning System）の連結の有無、ＮＦＣ（Near Field Communication）の連結の有無、及びブルートゥース（bluetooth；登録商標）の連結の有無のいずれか一つを含む。
【００３６】
実施例により、前記端末機状態は、前記端末機の通知モードの設定状態であってもよい。
【００３７】
実施例により、前記通知モードの設定状態は、通知音通知モード、着信音通知モード、振動通知モード又は非通知モードでありうる。
【００３８】
実施例により、前記端末機状態は、前記端末機の初期画面設定状態であってもよい。
【００３９】
実施例により、前記初期画面設定状態は、前記端末機の初期画面に表示される少なくとも一つのアプリケーションアイコンのリストと配列、前記初期画面の背景画像、及び前記初期画面のロック設定の有無の少なくともいずれか一つを含む。
【発明の効果】
【００４０】
本発明の実施例に係る方法は一つのスマートカード（smart card）、例えば、ＵＩＣＣ（Universal Integrated Circuit Card）に複数の加入者識別情報セットを保存することで、一つの使用者端末で複数の電話番号を使用することができる効果がある。
【００４１】
特に、複数の加入者識別情報セットのそれぞれは、ＩＣＣＩＤ（Integrated Circuit Card ID）、ＩＭＳＩ（International Mobile Subscriber Identity）、ＭＳＩＳＤＮ（Mobile Station International ISDN Number）、及びネットワーク接続に使用されるキー（key）情報を含む。この場合、単純に複数の電話番号だけを管理するものとは違って、一つの物理的なスマートカードで複数のスマートカード識別情報（例えば、ＩＣＣＩＤ）別に使用者の名義（例えば、ＩＭＳＩ）とキー情報まで管理することができる。即ち、本発明によって複数の電話番号を提供するサービスの外にも、法人使用者の個人名義使用、後払い料金制使用者の先払い料金制名義使用など多様なサービスが具現できる効果がある。
【００４２】
また、本発明の実施例に係る方法により、使用者は、一つのＵＩＣＣに保存された複数の加入者識別情報セットを追加又は削除することで、使用者自らが使用しようとする電話番号を管理することができる。
【００４３】
また、本発明の実施例に係る方法により、使用者端末と管理サーバーは、複数の加入者識別情報セット別に特化したサービスを提供することができる効果がある。
【００４４】
また、本発明の実施例に係る方法により、他の端末機から要請された通信経路により、前記他端末機に返信時、複数の加入者識別情報セットより相応する加入者識別情報セットを活性化して、返信することができるようにすることで、返信ステップで加入者識別情報セットを便利に管理することができる効果がある。
【００４５】
また、本発明の実施例に係る方法により、当該他の端末機への返信が完了した場合、加入者識別情報セットを元通りに復旧することで、使用者便宜性を高める効果がある。
【００４６】
また、本発明の実施例に係る方法により、入力される活性化パターンに応じて、複数の加入者識別情報セットより相応する加入者識別情報セットを活性化することで、加入者識別情報セットを便利に選択及び活性化することができる効果がある。
【００４７】
また、本発明の実施例に係る方法により、入力される活性化パターンに応じて、異なる識別番号を要求することで、加入者識別情報セットのそれぞれに対するセキュリティー性を高めることができる効果がある。
【００４８】
また、本発明の実施例に係る方法により、活性化された加入者識別情報セットに相応する端末機状態に設定することで、加入者識別情報セット別に端末機状態を便利に設定、管理することができる効果がある。
【００４９】
特に、端末機の通信設定状態だけでなく、通知モードの設定状態、初期画面設定状態などを加入者識別情報セット毎に適した形態に細部設定することができる効果がある。
【図面の簡単な説明】
【００５０】
【図１】本発明の実施例に係る端末機に含まれたＵＩＣＣ（Universal Integrated Circuit Card）の概念図である。
【図２】図１のＵＩＣＣ内で加入者識別情報セットを管理する過程を示した図である。
【図３】図２のＵＩＣＣファイルシステムのファイル構造を示した図である。
【図４】本発明の一実施例に係るマルチナンバーサービス提供方法のフローチャートである。
【図５】本発明の別の実施例に係るマルチナンバーサービス提供方法のデータフローである。
【図６】本発明のさらに別の実施例に係るマルチナンバーサービス提供方法のデータフローである。
【図７】本発明のさらに別の実施例に係るマルチナンバーサービス提供方法のデータフローである。
【図８】本発明のさらに別の実施例に係るマルチナンバーサービス提供方法のデータフローである。
【図９】本発明のさらに別の実施例に係るマルチナンバーサービス提供方法のデータフローである。
【図１０】本発明のさらに別の実施例に係るマルチナンバーサービス提供方法のデータフローである。
【図１１】本発明のさらに別の実施例に係るマルチナンバーサービス提供方法のデータフローである。
【図１２】図１に示された端末機のユーザインタフェースを介して入力される活性化パターンの一実施例である。
【図１３】図１２の活性化パターンが入力された以降、使用者の識別番号の入力を受けるための一実施例に係るユーザインタフェースを示した図である。
【図１４】本発明のさらに別の実施例に係るマルチナンバーサービス提供方法のデータフローである。
【図１５】図１に示された端末機のユーザインタフェースを介して入力される活性化パターンの別の実施例である。
【図１６】本発明のさらに別の実施例に係るマルチナンバーサービス提供方法のデータフローである。
【発明を実施するための最良の形態】
【００５１】
本明細書に開示されている本発明概念に係る実施例に対して特定の構造的又は機能的説明は、単に本発明の概念に係る実施例を説明するための目的で例示されたものであり、本発明概念に係る実施例は、多様な形態に実施することができ、本明細書に説明された実施例に限定されない。
【００５２】
本発明概念に係る実施例は多様な変更を加えることができ、種々形態を有することができる。、実施例を図面に例示し、本明細書で詳細に説明するが、これは本発明概念に係る実施例を特定の開示形態に対して限定しようとするのではなく、本発明の思想及び技術範囲に含まれるすべての変更、均等物、又は代替物を含む。
【００５３】
第１又は第２などの用語は、多様な構成素子を説明するのに使用できるが、前記構成素子は前記用語によって限定されない。前記用語は、一つの構成素子を他の構成素子から区別する目的としてのみ、例えば、本発明概念に係る権利範囲から逸脱しないまま、第１構成素子は第２構成素子と命名されてもよく、同様に第２構成素子は第１構成素子と命名されてもよい。
【００５４】
ある構成素子が違う構成素子に「連結されて」いるか、「接続されて」いると言及されたときには、その他の構成素子に直接的に連結されているか又は接続されていてもよいが、中間に他の構成素子が存在することもある。反面、ある構成素子が他の構成素子に「直接連結されて」いるか、「直接接続されて」いると言及されたときには、中間に他の構成素子が存在しない場合もある。構成要素間の関係を説明する他の表現、即ち「〜間に」と「すぐ〜間に」又は「〜に隣接する」と「〜に直接隣接する」なども同様に解釈される。
【００５５】
本明細書で使用された用語は、単に特定の実施例を説明するために使われたものであり、本発明を限定しようとする意図ではない。単数の表現は文脈上、明らかに異ならない限り、複数の表現を含む。本明細書で、「含む」又は「有する」などの用語は、本明細書に記載された特徴、数字、ステップ、動作、構成素子、部分品又はこれらを組み合わせたものが存在することを指定しようとするものであって、一つ又はそれ以上の他の特徴や数字、ステップ、動作、構成素子、部分品又はこれらを組み合わせたものの存在又は付加の可能性を予め排除しない。
【００５６】
また、特に断らない限り、技術的であるか、科学的な用語を含み、ここで使用されるすべての用語は、本発明が属する技術分野における通常の知識を有した者によって一般的に理解されるものと同じ意味を示す。一般的に使用される辞典に定義されているような用語は、関連技術の文脈上有する意味と一致する意味を有するものとして解釈されるべきであり、本明細書で明らかに定義しない限り、理想的であるか、過度に形式的な意味として解釈されない。
【００５７】
図１は、本発明の実施例に係る端末機に含まれたＵＩＣＣ（Universal Integrated Circuit Card）の概念図である。
【００５８】
実施例により、第１端末機１００は、移動電話機（cellular phone）、スマートフォン（smartphone）、タブレット（tablet）ＰＣ等に具現可能であり、端末機１００形態によって本発明の技術的範囲が制限解釈されてはいけない。
【００５９】
図１を参照すれば、第１端末機１００には、スマートカード（smart card）の一例として、ＵＩＣＣ１０（Universal Integrated Circuit Card）が取り付けられる。例えば、ＵＩＣＣ１０は、チップ（chip）又はカード形態で第１端末機１００に取り付けられる。
【００６０】
本明細書において、スマートカード（smart card）は、ＳＩＭ（Subscriber Identity Module）、ＵＳＩＭ（Universal Subscriber Identity Module）、ＵＩＣＣなど加入者識別情報セットを管理することができるＳＥ（Secure Element）を包括する概念であってもよい。
【００６１】
ＵＩＣＣ１０は、使用者のプライベート情報及び使用者が加入した移動データ通信事業者に対する事業者情報を保存することができる。例えば、ＵＩＣＣ１０は、複数の加入者識別情報セットを保存及び管理することができる。
【００６２】
加入者識別情報セットは、加入者、ＵＩＣＣ（又はＵＳＩＭ）、又は移動データ通信事業者を識別可能なデータを含むデータセットを幅広く意味する。加入者識別情報セットのそれぞれは、一つの電話番号に相応することができる。実施例により、加入者識別情報セットは、ＩＣＣＩＤ（Integrated Circuit Card ID）、ＩＭＳＩ（International Mobile Subscriber Identity）、ＭＳＩＳＤＮ（Mobile Station International ISDN Number）、ネットワーク接続のためのキー（key）情報などを含むことができる。
【００６３】
図２は、図１のＵＩＣＣ内で加入者識別情報セットを管理する過程を示した図である。図３は、図２のＵＩＣＣファイルシステムのファイル構造を示した図である。図４は、本発明の一実施例に係るマルチナンバーサービス提供方法のフローチャートである。
【００６４】
図１と図２を参照すれば、ＵＩＣＣ１０内には、ＵＩＣＣファイルシステム１２が存在し、加入者識別情報セット管理アプリケーション１４とＵＳＩＭアプリケーション１６とが設けられ得る。
【００６５】
本明細書において、アプリケーション（application）は、応用ソフトウェアを包括する意味であり、アプレット（applet）を含む概念である。
【００６６】
加入者識別情報セット管理アプリケーション１４は、第１端末機１００のネットワーク接続時に使用する加入者識別情報セット（例えば、第１加入者識別情報セットＳｅｔ１）をＵＩＣＣファイルシステム１２に登録することができる。
【００６７】
図２と図３を参照すれば、ＵＩＣＣファイルシステム１２のファイル構造は、ＭＦ１２Ａ（Master File）の下部に複数ファイルで構成される。この中で、必須（mandatory）ファイルとして含まれるリニアフィクストタイプ（linear fixed type）のＥＦ（Element File）のＥＦ−ＤＩＲ１２ＢがＭＦ１２Ａの下位ファイルとして存在する。
【００６８】
ＡＤＦ−ＵＳＩＭ１２Ｃは、ＵＳＩＭアプリケーション１６で使用するＥＦ（例えば、ＥＦ−ＩＣＣＩＤ１２Ｅ、ＥＦ−ＩＭＳＩ１２Ｆ、ＥＦ−ＭＳＩＳＤＮ１２Ｇ、ＥＦ−ＫＩ１２Ｈ等の最上位ノードであり、ＥＦ−ＤＩＲ１２ＢにはＡＤＦ−ＵＳＩＭ１２Ｃに対するリンク（link）情報が含まれている。
【００６９】
ＡＤＦ−ＵＳＩＭ１２Ｃの下位に複数ファイルが存在し、この中で、必須ファイルとして含まれるＤＦ１２Ｄ（Dedicated File）の下位には、実際の移動通信網接続のために必要なＥＦ、即ち、ＥＦ−ＩＣＣＩＤ１２Ｅ、ＥＦ−ＩＭＳＩ１２Ｆ、ＥＦ−ＭＳＩＳＤＮ１２Ｇ、ＥＦ−ＫＩ１２Ｈ等が構成される。実際の移動通信網接続時、ＵＳＩＭアプリケーション１６によりＥＦ−ＩＣＣＩＤ１２Ｅ、ＥＦ−ＩＭＳＩ１２Ｆ、ＥＦ−ＭＳＩＳＤＮ１２Ｇ、ＥＦ−ＫＩ１２ＨがＵＩＣＣ１０外部に読み込まれることがある。
【００７０】
本発明の実施例に係るＵＩＣＣ１０では、実際の移動通信網接続のために必要なＥＦ、即ち、ＥＦ−ＩＣＣＩＤ１２Ｅ、ＥＦ−ＩＭＳＩ１２Ｆ、ＥＦ−ＭＳＩＳＤＮ１２Ｇ、ＥＦ−ＫＩ１２Ｈ等は、加入者識別情報セット管理アプリケーション１４又はＵＳＩＭアプリケーション１６を介して、アップデートｕｐｄａｔｅ１又はｕｐｄａｔｅ２することができる。
【００７１】
例えば、第１加入者識別情報セットＳｅｔ１に含まれたＩＣＣＩＤ１は、ＵＩＣＣファイルシステム１２のＩＣＣＩＤ保存のためのＥＦ（例えば、ＥＦ−ＩＣＣＩＤ１２Ｅ）に保存され、第１加入者識別情報セットＳｅｔ１に含まれたＩＭＳＩ１は、ＵＩＣＣファイルシステム１２のＩＭＳＩ保存のためのＥＦ（例えば、ＥＦ−ＩＭＳＩ１２Ｆ）に保存され、第１加入者識別情報セットＳｅｔ１に含まれたＭＳＩＳＤＮ１は、ＵＩＣＣファイルシステム１２のＭＳＩＳＤＮ保存のためのＥＦ（例えば、ＥＦ−ＭＳＩＳＤＮ１２Ｇ）に保存され、ネットワーク接続のためのキーＫＩ１情報は、キー保存のためのＥＦ（例えば、ＥＦ−ＫＩ１２Ｈ）に保存される。
【００７２】
第１端末機１００がネットワーク認証を行う場合、ＵＩＣＣファイルシステム１２に保存された加入者識別情報セットは、ＵＳＩＭアプリケーション１６を介して外部に伝送され得る。
【００７３】
加入者識別情報セット管理アプリケーション１４は、ＵＩＣＣ１０内に保存される複数の加入者識別情報セットＳｅｔ１、Ｓｅｔ２等を保存及び管理することができる。
【００７４】
複数の加入者識別情報セットＳｅｔ１、Ｓｅｔ２等は、加入者識別情報セット管理アプリケーション１４に割り振られたメモリーに保存することができる。
【００７５】
複数の加入者識別情報セットＳｅｔ１、Ｓｅｔ２等のそれぞれは、ＩＣＣＩＤ、ＩＭＳＩ、ＭＳＩＳＤＮ、及びＫＩなどを含むことができる。例えば、第１加入者識別情報セットＳｅｔ１は、ＩＣＣＩＤ１、ＩＭＳＩ１、ＭＳＩＳＤＮ１、及びＫＩ１を含み、第２加入者識別情報セットＳｅｔ２は、ＩＣＣＩＤ２、ＩＭＳＩ２、ＭＳＩＳＤＮ２、及びＫＩ２を含むことができる。
【００７６】
図２と図４を参照すれば、加入者識別情報セット管理アプリケーション１４は、ＵＩＣＣ１０外部から受信された外部命令（ＣＭＤ）に応じて、複数の加入者識別情報セットＳｅｔ１、Ｓｅｔ２などのいずれか１つを選択し（Ｓ１０）、活性化させることができる（Ｓ１１）。
【００７７】
外部命令（ＣＭＤ）は、ＵＩＣＣ１０外部で駆動されるアプリケーションによって生成されてもよく、これに限定されるものではない。
【００７８】
例えば、加入者識別情報セット管理アプリケーション１４は、複数の加入者識別情報セットＳｅｔ１、Ｓｅｔ２等より第１加入者識別情報セットＳｅｔ１を選択し、選択された第１加入者識別情報セットＳｅｔ１をＵＩＣＣファイルシステム１２にアップデート（update）することで、第１加入者識別情報セットＳｅｔ１を活性化させることができる。
【００７９】
実施例により、加入者識別情報セット管理アプリケーション１４は、ＡＰＩ（Application Program Interface、未図示）を介して、直接ＵＩＣＣファイルシステム１２に選択された加入者識別情報セット（例えば、Ｓｅｔ１）をアップデートＵｐｄａｔｅ１することができる。
【００８０】
別の実施例により、加入者識別情報セット管理アプリケーション１４は、ＡＰＩ（未図示）とＵＳＩＭアプリケーション１６とを介して、加入者識別情報セット（例えば、Ｓｅｔ１）をＵＩＣＣファイルシステム１２にアップデートＵｐｄａｔｅ２することもできる。
【００８１】
ＵＳＩＭアプリケーション１６は、第１端末機１００のネットワーク接続及び加入者認証に必要な多様な機能を行うために駆動される。
【００８２】
ＵＳＩＭアプリケーション１６は、ネットワーク接続及び加入者認証時、ＵＩＣＣファイルシステム１２に保存された加入者識別情報セットをＵＩＣＣ１０外部に伝送することができる。
【００８３】
実施例により、ＵＳＩＭアプリケーション１６は、加入者識別情報セット管理アプリケーション１４とＵＩＣＣファイルシステム１２と間に行われるアップデートＵｐｄａｔｅ２を中継することもできる。
【００８４】
実施例により、第１端末機１００は、加入者識別情報セット別に相応する住所録、メール受発信の内訳、又は通話受発信の内訳を管理することができる。第１端末機１００は、活性化された加入者識別情報セットにより、活性化された加入者識別情報セットに相応する住所録、メール受発信の内訳、又は通話受発信の内訳を活性化させることができる。特に、特定加入者識別情報セットに相応する住所録に含まれた電話番号に電話をかける場合、第１端末機１００は、前記住所録に相応する加入者識別情報セットを活性化させるための命令（ＣＭＤ）をＵＩＣＣ１０に伝送することができる。
【００８５】
別の実施例により、第１端末機１００は、加入者識別情報セット別に背景画面にディスプレイされるアプリケーショングループを管理することができる。この場合、第１端末機１００は、活性化された加入者識別情報セットにより、活性化された加入者識別情報セットに相応するアプリケーショングループを背景画面にディスプレイすることができる。
【００８６】
さらに別の実施例により、第１端末機１００は、加入者識別情報セット別に情報保護サービスを提供することができる。例えば、複数の加入者識別情報セットより情報保護が要求される少なくともいずれか一つの加入者識別情報セットに相応する住所録、メール受発信の内訳、又は通話受発信の内訳は、ＵＩＣＣ１０、第１端末機１００内部又は第１端末機１００外部の別途サーバーに保存することができる。この場合、住所録、メール受発信の内訳、又は通話受発信の内訳は、暗号化されて保存される。例えば、前記暗号化は、ＵＩＣＣ１０内の暗号キーを利用して暗号化することができる。
【００８７】
さらに別の実施例により、第１端末機１００は、加入者識別情報セット別にコンテンツ（例えば、写真ファイル、音声ファイル、ムービーファイルなど）を管理することができる。この場合、第１端末機１００は、活性化された加入者識別情報セットにより、活性化された加入者識別情報セットに相応するコンテンツだけを確認できるように設定することができる。
【００８８】
さらに別の実施例により、第１端末機１００は、加入者識別情報セット別に秘密電話サービスを提供することができる。この場合、第１端末機１００は、特定加入者識別情報セットにメール又は電話が受信される場合、これを第１端末機１００に表示しく、受信されたメール又は電話に関する情報は、ＵＩＣＣ１０に保存し、管理することができる。また、第１端末機１００は、メール又は電話の発信者に、現在連絡が難しいという状況を通知するためのメールメッセージ又は音声メッセージを伝送することもできる。
【００８９】
さらに別の実施例により、第１端末機１００は、加入者識別情報セット別にアプリケーションの使用権限を設定することができる。この場合、第１端末機１００は、特定加入者識別情報が活性化されている場合には、特定アプリケーション（例えば、ゲームアプリケーションなど）の使用を制限することができる。また、第１端末機１００の加入者識別情報セット別アプリケーションの使用権限は、外部端末機（例えば、会社セキュリティー管理者の端末機）により設定することもできる。
【００９０】
さらに別の実施例により、第１端末機１００は、加入者識別情報セット別に公認認証書（公的個人認証）を管理することができる。この場合、第１端末機１００は、活性化された加入者識別情報セットにより、活性化された加入者識別情報セットに相応する公認認証書をデフォルト（default）として使用できるように設定することができる。
【００９１】
図１と図２では、第１端末機１００の加入者識別情報セットを保存及び管理するＩＣカード（又はチップカード（chip card）又はスマートカード（smart card））の一例としてＵＩＣＣ１０を示しているが、ＵＩＣＣ１０は、他の名称又は他の種類のカードに代替することができる。
【００９２】
図５は、本発明の別の実施例に係るマルチナンバーサービス提供方法のデータフローである。
【００９３】
図１〜図５を参照すれば、第１端末機１００の電源がオンされれば（Ｓ２０）、第１端末機１００の制御によりＵＩＣＣ１０がリセット動作を行う（Ｓ２２）。
【００９４】
その後、ＵＩＣＣ１０は、初期化を行い、第１端末機１００の端末機プロファイル（terminal profile）により本発明の実施例に係るマルチナンバーサービスを提供するためのツールキット（tool kit）を登録できる場合、これを登録することができる（Ｓ２４）。また、ネットワーク接続のためにＭＦ１２Ａを選択することができる（Ｓ２４）。
【００９５】
ステップ（Ｓ２４）が成功理に実行されたかどうかを判断し（Ｓ２６）、成功理に実行されない場合には、このような状況が特定回数以上繰り返されたかどうかを判断することができる（Ｓ２８）。
【００９６】
特定回数以上が繰り返された場合、ＵＩＣＣ１０は、ＵＩＣＣファイルシステム１２に対するアクセスを遮断することができる（Ｓ３０）。
【００９７】
特定回数以上が繰り返されていない場合にはステップ（Ｓ２２）から再び実行される。
【００９８】
ステップ（Ｓ２４）が成功理に実行された場合には、ＵＩＣＣ１０は、ＥＦ−ＤＩＲ１２Ｂを選択して、読み込むことができる（Ｓ３２）。
【００９９】
ステップ（Ｓ３２）が成功理に実行されたかどうかを判断し（Ｓ３４）、成功理に実行されていない場合には、ステップ（Ｓ２８）が実行され、ステップ（Ｓ３２）が成功理に実行された場合に、ＵＩＣＣ１０は、ＥＦ−ＤＩＲ１２Ｂのリンク情報によりＡＤＦ−ＵＳＩＭ１２Ｃにアクセスすることができる（Ｓ３６）。
【０１００】
ステップ（Ｓ３６）が成功理に実行されたかどうかを判断し（Ｓ３８）、ステップ（Ｓ３６）が成功理に実行されていない場合には、ステップ（Ｓ２８）が実行され、ステップ（Ｓ３６）が成功理に実行された場合には、ＵＩＣＣ１０はＡＤＦ−ＵＳＩＭ１２Ｃの下位にあるＤＦ１２Ｄを構成しているＥＦ（例えば、ＥＦ−ＩＣＣＩＤ１２Ｅ、ＥＦ−ＩＭＳＩ１２Ｆ、ＥＦ−ＭＳＩＳＤＮ１２Ｇ、及びＥＦ−ＫＩ１２Ｈ等）を読み込むことができる（Ｓ４０）。
【０１０１】
ステップ（Ｓ４０）以降に、ＵＩＣＣ１０は、待機（idle）状態に転換され得、（Ｓ４２）、ステップ（Ｓ４４）が実行される以前まで第１端末機１００は、Ｓ４０ステップで読み込まれたＥＦ（例えば、ＥＦ−ＩＣＣＩＤ１２Ｅ、ＥＦ−ＩＭＳＩ１２Ｆ、ＥＦ−ＭＳＩＳＤＮ１２Ｇ、及びＥＦ−ＫＩ１２Ｈ等）によりネットワークに接続することができる。
【０１０２】
ＵＩＣＣ１０の内部又はＵＩＣＣ１０の外部プロセスによって、加入者識別情報セットが選択される（Ｓ４４）。例えば、図２の加入者識別情報セット管理アプリケーション１４に入力された外部命令（ＣＭＤ）により複数の加入者識別情報セット（例えば、Ｓｅｔ１、Ｓｅｔ２等）のいずれか一つの加入者識別情報セット（例えば、Ｓｅｔ１）が選択される。
【０１０３】
この場合、選択された加入者識別情報セット（例えば、Ｓｅｔ１）が活性化される（Ｓ４６）。即ち、選択された加入者識別情報セット（例えば、Ｓｅｔ１）の各データ（例えば、ＩＣＣＩＤ１、ＩＭＳＩ１、ＭＳＩＳＤＮ１、ＫＩ１）は、ＵＩＣＣファイルシステム１２の各ＥＦ（例えば、ＥＦ−ＩＣＣＩＤ１２Ｅ、ＥＦ−ＩＭＳＩ１２Ｆ、ＥＦ−ＭＳＩＳＤＮ１２Ｇ、ＥＦ−ＫＩ１２Ｈ）に多様なアップデート経路（例えば、ｕｐｄａｔｅ１、ｕｐｄａｔｅ２を介して、アップデートされる。
【０１０４】
加入者識別情報セット変更が成功理に実行されたかどうかを判断し（Ｓ４８）、成功理に実行された場合には、ＵＩＣＣ１０は、ステップ（Ｓ２４）から再び実行し、加入者識別情報セット変更が成功理に実行されていない場合、ステップ（Ｓ４２）の待機状態に転換される。
【０１０５】
図６は、本発明の別の実施例に係るマルチナンバーサービス提供方法のデータフローである。
【０１０６】
管理サーバー２００は、第１端末機１００に保存された複数の加入者識別情報セットを管理するか、又はネットワーク認証を通した登録することができるサーバーである。実施例により、管理サーバー２００は、通信社サーバーであってもよく、これらに限定されるものではない。
【０１０７】
実施例により、管理サーバー２００は、第１端末機１００の識別情報とこれに対し相応する複数の加入者識別情報セットをマッピング（mapping）して保存することができる。
【０１０８】
図１〜図６を参照すれば、第１端末機１００は、使用者の入力に応じて、加入者識別情報セットを追加するための要請又は削除するための要請を管理サーバー２００に伝送することができる（Ｓ５０）。
【０１０９】
管理サーバー２００は、第１端末機１００の使用者の本人認証を行う（Ｓ５２）。実施例により、管理サーバー２００は、ＳＭＳ（Short Message Service）を用いた本人認証を行う。別の実施例により、管理サーバー２００は、使用者のＰＩＮ（Personal Identification Number）入力を介して、本人認証を行うこともできる。
【０１１０】
管理サーバー２００は、使用者が本人認証に成功した場合、追加可能な加入者識別情報セット又は削除可能な加入者識別情報セットを検索することができる（Ｓ５４）。
【０１１１】
実施例により、第１端末機１００から加入者識別情報セット追加要請がある場合、管理サーバー２００は、追加可能な加入者識別情報セットを新しく生成することもできる。
【０１１２】
管理サーバー２００は、検索された加入者識別情報セットをリスティング（listing）して、第１端末機１００に伝送することができる（Ｓ５６）。
【０１１３】
使用者は、第１端末機１００を介して受信されたリストから、追加又は削除する加入者識別情報セットを選択し、選択された加入者識別情報セットに関する情報は、管理サーバー２００に伝送される（Ｓ５８）。
【０１１４】
管理サーバー２００は、選択された加入者識別情報セットを管理サーバー２００又は管理サーバー２００のデータベースに追加又は削除登録することができる（Ｓ６０）。このとき、管理サーバー２００は、選択された加入者識別情報セットを第１端末機１００の識別情報とマッピングされた加入者識別情報セットリストに追加又は削除登録することができる。
【０１１５】
第１端末機１００は、選択された加入者識別情報セットを加入者識別情報セット管理アプリケーション１４に割り振られたメモリーに追加又は削除することができる（Ｓ６２）。
【０１１６】
図７は、本発明のさらに別の実施例に係るマルチナンバーサービス提供方法のデータフローである。
【０１１７】
図１〜図４、及び図７を参照すれば、第１端末機１００は、加入者識別情報セット管理アプリケーション１４に割り振られたメモリーに保存された複数の加入者識別情報セットを管理サーバー３００に登録しておくことができる（Ｓ７０）。このとき、使用者は、第１端末機１００を介して管理サーバー３００に登録された加入者識別情報セット毎に異なる応答が行えるように設定することができる。
【０１１８】
管理サーバー３００は、第２端末機２００から第１加入者識別情報セットへの接続要請を受けることができる（Ｓ７２）。
【０１１９】
管理サーバー３００は、登録された複数の加入者識別情報セットから第２端末機２００により接続要請された第１加入者識別情報セットに相応する応答を検索することができる（Ｓ７４）。
【０１２０】
管理サーバー３００は、検索された応答を第２端末機２００に伝送することができる（Ｓ７６）。
【０１２１】
実施例により、ステップ（Ｓ７６）での応答は、応答メッセージ又は通話呼出音であってもよい。
【０１２２】
例えば、管理サーバー３００は、第１加入者識別情報セットに接続要請が来た場合には「解約された番号です」という応答メッセージを第２端末機２００に伝送し、第２加入者識別情報セットに接続要請が来た場合には通話呼出音を第２端末機２００に伝送することができる。
【０１２３】
例えば、管理サーバー３００は、第１加入者識別情報セットに接続要請が来た場合と第２加入者識別情報セットに接続要請が来た場合に、異なる応答メッセージ（又は通話呼出音）を第２端末機２００に伝送することができる。
【０１２４】
図８は、本発明のさらに別の実施例に係るマルチナンバーサービス提供方法のデータフローである。
【０１２５】
図１〜図４、及び図８を参照すれば、第１端末機１００は、加入者識別情報セット管理アプリケーション１４に割り振られたメモリーに保存された複数の加入者識別情報セットより活性化された第１加入者識別情報セットを管理サーバー３００に登録しておくことができる（Ｓ８０）。
【０１２６】
管理サーバーが３００は、第２端末機から第２加入者識別情報セットへの接続要請を受信することができる（Ｓ８２）。
【０１２７】
管理サーバー３００は、第２加入者識別情報セットとマッチングされている、即ち、第２加入者識別情報セットを有している第１端末機１００で、現在活性化されている第１加入者識別情報セットを検索することができる（Ｓ８４）。即ち、管理サーバー３００は、第２加入者識別情報セットとマッピングされている加入者識別情報セットを検索することができる。
【０１２８】
管理サーバー３００は、第１加入者識別情報セットに相応する第１端末機１００で第２加入者識別情報セットを活性化させるための活性化要請を伝送することができる（Ｓ８６）。
【０１２９】
即ち、第１端末機１００が、第１加入者識別情報セットを活性化させておいたが、第２端末機２００からは第２加入者識別情報セットに接続要請が来た場合、管理サーバー３００は、第１端末機１００が第２加入者識別情報セットを活性化させるように管理することができる。
【０１３０】
図９は、本発明のさらに別の実施例に係るマルチナンバーサービス提供方法のデータフローである。
【０１３１】
図１〜図４、及び図９を参照すれば、第１端末機１００は、加入者識別情報セット管理アプリケーション１４に割り振られたメモリーに保存された複数の加入者識別情報セットより活性化された第１加入者識別情報セットを管理サーバー３００に登録しておくことができる（Ｓ９０）。
【０１３２】
管理サーバー３００は、第２端末機２００から第２加入者識別情報セットへの接続要請を受信することができる（Ｓ９２）。
【０１３３】
管理サーバー３００は、第２加入者識別情報セットとマッチングされている、即ち、第２加入者識別情報セットを有している第１端末機１００で、現在活性化されている第１加入者識別情報セットを検索することができる（Ｓ９４）。即ち、管理サーバー３００は、第２加入者識別情報セットとマッピングされている加入者識別情報セットを検索することができる。
【０１３４】
管理サーバー３００は、第２加入者識別情報セットに接続要請されたことを通知する接続経路情報を第１加入者識別情報セットに相応する第１端末機１００に伝送することができる（Ｓ９６）。
【０１３５】
即ち、第１端末機１００が、第１加入者識別情報セットを活性化させておいたが、第２端末機２００からは第２加入者識別情報セットに接続要請が来た場合、管理サーバー３００は、第１端末機１００が、まず、活性化されている第１加入者識別情報セットを利用してネットワーク接続するようにし、第２加入者識別情報セットに接続要請されたことを通知する情報を追加的に提供することができる。
【０１３６】
図１０は、本発明のさらに別の実施例に係るマルチナンバーサービス提供方法のデータフローである。
【０１３７】
図１〜図４、及び図１０を参照すれば、第１端末機１００は、加入者識別情報セット管理アプリケーション１４に割り振られたメモリーに保存された複数の加入者識別情報セットより第１加入者識別情報セット（例えば、Ｓｅｔ１）を活性化させることができる（Ｓ１００）。
【０１３８】
第１端末機１００は、ステップ（Ｓ１００）で活性化されている第１加入者識別情報セット（例えば、Ｓｅｔ１）を管理サーバー３００に登録することができる（Ｓ１０２）。
【０１３９】
ステップ（Ｓ１０２）は、管理サーバー３００が、第１端末機１００の複数の加入者識別情報セットより活性化されている加入者識別情報セットをモニタリングすることができるように登録する過程である。
【０１４０】
管理サーバー３００は、第２端末機２００から第１端末機１００の複数の加入者識別情報セットより活性化されていない第２加入者識別情報セット（例えば、Ｓｅｔ２）への通信要請と共に、第２端末機２００の端末情報を受信することができる（Ｓ１０４）。
【０１４１】
前記端末情報は、第２端末機２００の識別情報、例えば、電話番号、ＩＭＳＩ（International Mobile Subscriber Identity）、ＩＭＥＩ（International Mobile Equipment Identity）、又はＭＳＩＳＤＮ（Mobile Station International ISDN Number）等を含む。
【０１４２】
管理サーバー３００は、第２端末機２００からの通信要請を第２端末機２００の端末情報とマッピングして、保存することができる（Ｓ１０６）。
【０１４３】
例えば、管理サーバー３００は、第２端末機２００から第２加入者識別情報セット（例えば、Ｓｅｔ２）への通信要請があったことを通知する情報を保存することができる。
【０１４４】
管理サーバー３００は、第２加入者識別情報セット（例えば、Ｓｅｔ２）とマッチングされている、例えば、第２加入者識別情報セット（例えば、Ｓｅｔ２）を有している第１端末機１００で、現在活性化されている第１加入者識別情報セット（例えば、Ｓｅｔ１）を検索することができる（Ｓ１０８）。
【０１４５】
即ち、管理サーバー３００は、第１端末機１００のすべての加入者識別情報セットを事前に保存することができ、第２加入者識別情報セット（例えば、Ｓｅｔ２）とマッチングされている加入者識別情報セットより活性化された第１加入者識別情報セット（例えば、Ｓｅｔ１）を検索することができる。
【０１４６】
管理サーバー３００は、第２加入者識別情報セット（例えば、Ｓｅｔ２）に接続要請されたことを通知する通信経路情報を第１加入者識別情報セット（例えば、Ｓｅｔ１）に相応する第１端末機１００に伝送することができる（Ｓ１１０）。
【０１４７】
即ち、第１端末機１００が、第１加入者識別情報セット（例えば、Ｓｅｔ１）を活性化させておいたが、第２端末機２００からは第２加入者識別情報セット（例えば、Ｓｅｔ２）に接続要請が来た場合、管理サーバー３００は、第１端末機１００が、まず、活性化されている第１加入者識別情報セット（例えば、Ｓｅｔ１）を利用してネットワーク接続するようにし、第２加入者識別情報セット（例えば、Ｓｅｔ２）に通信要請されたことを通知する情報を追加的に提供することができる。
【０１４８】
第１端末機１００は、第２端末機２００に対して通信を要請することができる（Ｓ１１２）。
【０１４９】
実施例により、前記通信要請は、音声通話要請又はメッセージ送信要請であってもよい。
【０１５０】
別の実施例により、管理サーバー３００は、第１端末機１００の第２端末機２００に対する通信要請が、ステップ（Ｓ１０４）での第２端末機２００の通信要請に対する返信であるかどうかを追加的に判断することができる。例えば、管理サーバー３００は、第２端末機２００の通信要請があった後、第１端末機１００の通信要請が基準時間内に行われたかどうかを判断することができる。
【０１５１】
管理サーバー３００は、第１端末機１００の返信要請に応じて、ステップ（Ｓ１０６）で保存された通信要請を検索することができる（Ｓ１１４）。例えば、第１端末機１００が返信要請した対象者第２端末機２００が第１端末機１００のある加入者識別情報セットに通信要請をしたかどうかを検索することができる。
【０１５２】
検索の結果、ステップ（Ｓ１０４）で、第２端末機２００は、第２加入者識別情報セット（例えば、Ｓｅｔ２）に通信要請をしたため、管理サーバー３００は、第１端末機１００に第２加入者識別情報セット（例えば、Ｓｅｔ２）を活性化するための要請を伝送することができる（Ｓ１１６）。
【０１５３】
第１端末機１００は管理サーバー３００の要請に応じて、第２加入者識別情報セット（例えば、Ｓｅｔ２）を活性化させ（Ｓ１１８）、活性化された第２加入者識別情報セット（例えば、Ｓｅｔ２）を管理サーバー３００に登録することができる（Ｓ１２０）。
【０１５４】
第１端末機１００は活性化された第２加入者識別情報セット（例えば、Ｓｅｔ２）を利用して第２端末機２００と通信することができる（Ｓ１２２）。このとき、第１端末機１００は、移動通信網を介して通信することができる。
【０１５５】
第１端末機１００は、加入者識別情報セットの復旧条件を確認することができる（Ｓ１２４）。
【０１５６】
実施例により、第１端末機１００の第２端末機２００に対する通信要請、即ち、返信が音声通話要請である場合、復旧条件は、音声通話終了後、基準時間が徒過したかどうかに基づいて判断することができる。
【０１５７】
別の実施例により、第１端末機１００の第２端末機２００に対する通信要請、即ち、返信がメッセージ送信要請である場合、復旧条件は、メッセージ送信が完了したかどうかに基づいて判断することができる。
【０１５８】
第１端末機１００は、復旧条件に符合する場合、本来の第１加入者識別情報セット（例えば、Ｓｅｔ１）を活性化し（Ｓ１２６）、活性化された第１加入者識別情報セットを管理サーバー３００に登録することができる（Ｓ１２８）。
【０１５９】
図１１は、本発明のさらに別の実施例に係るマルチナンバーサービス提供方法のデータフローである。
【０１６０】
図１〜図４、及び図１１を参照すれば、第１端末機１００は、加入者識別情報セット管理アプリケーション１４に割り振られたメモリーに保存された複数の加入者識別情報セットより第１加入者識別情報セット（例えば、Ｓｅｔ１）を活性化させることができる（Ｓ１３０）。
【０１６１】
第１端末機１００は、第２端末機２００から第１端末機１００の複数の加入者識別情報セットより活性化されていない第２加入者識別情報セット（例えば、Ｓｅｔ２）への通信要請と共に、第２端末機２００の端末情報を受信することができる（Ｓ１３２）。
【０１６２】
前記端末情報は、第２端末機２００の識別情報、例えば、電話番号、ＩＭＳＩ（International Mobile Subscriber Identity）、ＩＭＥＩ（International Mobile Equipment Identity）、又はＭＳＩＳＤＮ（Mobile Station International ISDN Number）等を含むことができる。
【０１６３】
第１端末機１００は、第２端末機２００からの通信要請を第２端末機２００の端末情報とマッピングして、保存することができる（Ｓ１３４）。
【０１６４】
例えば、第１端末機１００は、第２端末機２００から第２加入者識別情報セット（例えば、Ｓｅｔ２）への通信要請があったことを通知する情報を保存することができる。
【０１６５】
第２端末機２００の通信要請に応じて、第１端末機１００は、移動通信網を介して、第２端末機２００と通信することができる（Ｓ１３５）。
【０１６６】
第１端末機１００は、使用者によって入力される第２端末機２００に対する通信要請を入力受けることができる（Ｓ１３６）。
【０１６７】
実施例により、前記通信要請は、音声通話要請又はメッセージ送信要請であってもよい。
【０１６８】
別の実施例により、第１端末機１００は、前記通信要請が、ステップ（Ｓ１３２）での第２端末機２００の通信要請に対する返信であるかどうかを追加的に判断することもできる。例えば、第１端末機１００は、第１端末機１００の通信要請が、第２端末機２００の通信要請があった後、基準時間内に行われたのかどうかを判断することができる。
【０１６９】
第１端末機１００は、第１端末機１００に入力された通信要請に応じて、ステップ（Ｓ１３４）で保存されていた通信要請を検索することができる（Ｓ１３８）。例えば、第１端末機１００が返信要請した対象者第２端末機２００が第１端末機１００のどの加入者識別情報セットに通信要請をしたかを検索することができる。
【０１７０】
検索の結果、ステップ（Ｓ１３２）で第２端末機２００は、第２加入者識別情報セット（例えば、Ｓｅｔ２）に通信要請をしたため、第１端末機１００は、第２加入者識別情報セット（例えば、Ｓｅｔ２）を活性化させることができる（Ｓ１４２）。
【０１７１】
実施例により、第１端末機１００は、ステップ（Ｓ１３８）とステップ（Ｓ１４２）と間に、第１端末機１００の現在状態、例えば、現在活性化されている加入者識別情報セット（例えば、Ｓｅｔ１）を保存することができる（Ｓ１４０）。
【０１７２】
第１端末機１００は、活性化された第２加入者識別情報セットＳｅｔ２を利用して、第２端末機２００と通信することができる（Ｓ１４４）。このとき、第１端末機１００は、移動通信網を介して第２端末機２００と通信することができる。
【０１７３】
第１端末機１００は、加入者識別情報セットの復旧条件を確認することができる（Ｓ１４６）。
【０１７４】
実施例により、第１端末機１００の第２端末機２００に対する通信要請、即ち、返信が音声通話要請である場合、復旧条件は音声通話終了後、基準時間が徒過されたかどうかに基づいて判断することができる。
【０１７５】
別の実施例により、第１端末機１００の第２端末機２００に対する通信要請、即ち、返信がメッセージ送信要請である場合、復旧条件はメッセージ送信が完了したかどうかに基づいて判断することができる。
【０１７６】
第１端末機１００は、復旧条件に符合する場合、本来の第１加入者識別情報セット（例えば、Ｓｅｔ１）を活性化することができる（Ｓ１４８）。
【０１７７】
図１２は、図１に示された端末機のユーザインタフェースを介して入力される活性化パターンの一実施例である。図１３は、図１２の活性化パターンが入力された後、使用者の識別番号の入力を受けるための一実施例に係るユーザインタフェースを示した図である。図１４は、本発明のさらに別の実施例に係るマルチナンバーサービス提供方法のデータフローである。
【０１７８】
図１、図２、図１２、及び図１４を参照すれば、端末機１００は、使用者から外部入力を受けるためのユーザインタフェースＵＩ（User Interface）をディスプレイ（display）するためのディスプレイ１１０を含む。
【０１７９】
ディスプレイ１１０には、複数の加入者識別情報セット（例えば、Ｓｅｔ１、Ｓｅｔ２等）のいずれか一つを選択して活性化させるために、使用者の活性化パターン（例えば、ＰＴ１）の入力を受けるユーザインタフェースがディスプレイされる。
【０１８０】
実施例により、ディスプレイ１１０は、それぞれが点（dot）形態で具現された複数のパターンユニットＰＵ（pattern units）をディスプレイすることができる。
【０１８１】
図１２に示された通り使用者は複数のパターンユニット（ＰＵ）から一部を互いにつなぐ第１活性化パターンＰＴ１を入力することができる（Ｓ１５０）。
【０１８２】
図１３を参照すれば、第１活性化パターンＰＴ１が入力された後、ディスプレイ１１０は、使用者の識別番号の入力を受けるためのユーザインタフェースをディスプレイすることができる。
【０１８３】
実施例により、前記識別番号はＰＩＮ（Personal Identification Number）であってもよい。
【０１８４】
使用者は、図１３のディスプレイ１１０にディスプレイされたユーザインタフェースを介して使用者の識別番号を入力することができる（Ｓ１５２）。
【０１８５】
端末機１００は、ステップ（Ｓ１５２）で入力された識別番号が、ステップ（Ｓ１５０）で入力された第１活性化パターンＰＴ１に相応する識別番号であるか、即ち、正しい識別番号が入力されたかを判断することができる（Ｓ１５４）。
【０１８６】
例えば、端末機１００は、特定活性化パターン毎に相応する識別番号を保存することができ、入力された識別番号が保存された識別番号と一致するかどうかを判断することができる。
【０１８７】
正しい識別番号が入力されていない場合には、ステップ（Ｓ１５０）の使用者の活性化パターンを、再度入力を受けることができる。
【０１８８】
正しい識別番号が入力された場合には、入力された活性化パターンに相応する加入者識別情報セットを活性化させることができる（Ｓ１５６）。
【０１８９】
図１５は、図１に示された端末機のユーザインタフェースを介して入力される活性化パターンの別の実施例である。
【０１９０】
図１２〜図１５を参照すれば、使用者は、第１活性化パターンＰＴ１と他の第２活性化パターンＰＴ２を端末機１００に登録することができる。
【０１９１】
実施例により、端末機１００は、第１活性化パターンＰＴ１が入力された場合には、第１加入者識別情報セットＳｅｔ１が活性化され、第２活性化パターンＰＴ２が入力された場合には、第２加入者識別情報セットＳｅｔ２が活性化されるように設定することができる。
【０１９２】
図１２と図１５では、説明の便宜のために点形態で具現された複数のパターンユニットＰＵを例示的に示したが、複数のパターンユニットＰＵの実現形態は多様な変形が可能である。例えば、複数のパターンユニットＰＵは、３次元形態で具現されてもよい。
【０１９３】
実施例により、使用者によって入力される活性化パターン（例えば、ＰＴ１、ＰＴ２）は、使用者の音声パターン形態であってもよい。この場合、使用者によって入力される音声パターンにより、異なる加入者識別情報セットが活性化される。音声パターンは端末機１００に具現された音声認識モジュール（例えば、マイク）により入力される。例えば、「リンゴ」という音声が入力された場合には、第１加入者識別情報セットＳｅｔ１が活性化され、「トマト」という音声が入力された場合には、第２加入者識別情報セットＳｅｔ２が活性化される。
【０１９４】
別の実施例により、使用者によって入力される活性化パターン（例えば、ＰＴ１、ＰＴ２）は、使用者のバイオ情報パターン、例えば、指紋パターン形態であってもよい。この場合、使用者によって入力される指紋パターンにより、異なる加入者識別情報セットが活性化されることができる。指紋パターンは、端末機１００に具現された指紋認識モジュール（未図示）により入力することができる。例えば、第１使用者の指紋パターンが入力された場合には、第１加入者識別情報セットＳｅｔ１が活性化され、第２使用者の指紋パターンが入力された場合には、第２加入者識別情報セットＳｅｔ２が活性化される。即ち、複数個人が各自の固有情報を利用して各自の加入者識別情報セットを活性化させることによって、一つの端末機１００を共有しながらもプライバシー（privacy）が侵害されないようにするサービスを提供することができる。前記バイオ情報パターンは、指紋パターン以外にも紅彩パターンなど多様な形態であってもよい。
【０１９５】
図１６は、本発明のさらに別の実施例に係るマルチナンバーサービス提供方法のデータフローである。
【０１９６】
図１、図２、及び図１６を参照すれば、使用者は、端末機１００の加入者識別情報セット管理アプリケーション１４に割り振られたメモリーに保存された複数の加入者識別情報セット（例えば、Ｓｅｔ１、Ｓｅｔ２等）毎に相応する端末機状態を保存することができる（Ｓ１６０）。
【０１９７】
実施例により、端末機状態は、端末機１００の通信設定状態であってもよい。例えば、前記通信設定状態は、データネットワーク（data network）の連結の有無、ＷＩ−ＦＩ連結の有無、ＧＰＳ（Global Positioning System）の連結の有無、ＮＦＣ（Near Field Communication）の連結の有無、及びブルートゥース（bluetooth）の連結の有無の少なくともいずか一つを含む。
【０１９８】
例えば、使用者、はＷＩ−ＦＩを使用可能な家では、第１加入者識別情報セットＳｅｔ１を使用し、ＷＩ−ＦＩが使えない外部では第２加入者識別情報セットＳｅｔ２を使用することができる。この場合、第１加入者識別情報セットＳｅｔ１が活性化されれば、ＷＩ−ＦＩは連結され、データネットワークは遮断される。また、第２加入者識別情報セットＳｅｔ２が活性化されれば、ＷＩ−ＦＩは遮断され、データネットワークには連結される。
【０１９９】
別の実施例により、端末機状態は、前記端末機の通知モードの設定状態であってもよい。例えば、前記通知モードの設定状態は、通知音通知モード、着信音通知モード、振動通知モード又は非通知モードであってもよい。
【０２００】
振動通知モードは、振動を介してイベント発生を通知するモードを意味し、マナーモード（manner mode）がこれに当該する。
【０２０１】
非通知モードは、イベントが発生してもこれを外部へ通知することを防止するモードを意味し、飛行機搭乗モード又はエアプレインモード（airplane mode）等がこれに当該する。
【０２０２】
例えば、使用者は、会社では第１加入者識別情報セットＳｅｔ１を使用し、その他の場所では第２加入者識別情報セットＳｅｔ２を使用することができる。この場合、第１加入者識別情報セットＳｅｔ１が活性化されれば、振動通知モードに設定される。また、第２加入者識別情報セットＳｅｔ２が活性化されれば、着信音通知モードに設定される。
【０２０３】
実施例により、端末機状態は、端末機１００の初期画面設定状態であってもよい。例えば、初期画面設定状態は、端末機１００の初期画面に表示される少なくとも一つのアプリケーションアイコンのリストと配列、初期画面の背景画像、及び初期画面のロック設定の有無の少なくともいずれか一つを含む。
【０２０４】
例えば、使用者は、会社では第１加入者識別情報セットＳｅｔ１を使用し、その他の場所では第２加入者識別情報セットＳｅｔ２を使用することができる。この場合、第１加入者識別情報セットＳｅｔ１が活性化されれば、会社で主に使用するテキスト編集アプリケーションなどのアイコンが初期画面にディスプレイされるように設定される。また、第２加入者識別情報セットＳｅｔ２が活性化されれば、家で主に使用するゲームアプリケーションなどのアイコンが初期画面にディスプレイされるように設定される。
【０２０５】
本発明は、図面に示された一実施例を参考として説明されたが、これは例示的なものに過ぎず、本技術分野における通常の知識を有した者であれば、これらから多様な変形及び均等な他の実施例が可能であるという点を理解するだろう。したがって、本発明の真の技術的保護範囲は添付された登録請求範囲の技術的思想によって決まる。
【符号の説明】
【０２０６】
１０  ＵＩＣＣ（Universal Integrated Circuit Card）
１２  ＵＩＣＣファイルシステム
１４  加入者識別情報セット管理アプリケーション
１６  ＵＳＩＭ（Universal Subscriber Identity Module）アプリケーション
１００、２００  端末機
１１０  ディスプレイ
３００  管理サーバー
【図１】
2019033510.tif 000003
【図２】
2019033510.tif 000004
【図３】
2019033510.tif 000005
【図４】
2019033510.tif 000006
【図５】
2019033510.tif 000007
【図６】
2019033510.tif 000008
【図７】
2019033510.tif 000009
【図８】
2019033510.tif 000010
【図９】
2019033510.tif 000011
【図１０】
2019033510.tif 000012
【図１１】
2019033510.tif 000013
【図１２】
2019033510.tif 000014
【図１３】
2019033510.tif 000015
【図１４】
2019033510.tif 000016
【図１５】
2019033510.tif 000017
【図１６】
2019033510.tif 000018